(57)【要約】      （修正有）【課題】便利に使用でき、簡易に携帯できる、携帯ポケット清潔用品構造を提供する。【解決手段】不織布または綿布の袋体１を裁断して各種の清潔用品または環境保護性を有する清潔用品２（例えばムクロジや天然果物などを果実顆粒状または粉末状などに作成するもの）をその間に入れてから、熱圧接合により、携帯容易な携帯ポケット清潔用品３となる。構成される携帯ポケット清潔用品３の外向け販売に際しての包装を、数枚毎に１つの紙袋４に単位包装に袋詰めしてもよく、また比較的に多い数量の携帯ポケット清潔用品３を、１つの紙箱にお得パックに包装してもよい。【選択図】図１
0003199991.tif 000002
【実用新案登録請求の範囲】
【請求項１】
洗浄としての用途可能な清潔用品に対して携帯ポケット型に包装される携帯ポケット清潔用品構造であって、
家で衣類を洗浄する清潔用品、または外出型の清潔用品とその包装設計としては、必要に応じて不織布の袋体を裁断して各種の清潔用品をその間に入れてから、熱圧接合により、携帯容易な携帯ポケット清潔用品となり、
一般人が家で衣類を洗浄する時に供され、また外出する時に、必要に応じて相当数量の携帯ポケット清潔用品を携帯し、毎回、衣類の洗浄、または外出する時に手部、顔部、身体、頭髪の洗浄、あるいは使用済みの茶碗、皿や箸などの洗浄のいずれも、便利な清潔用品として使用することで、洗浄を行い、一般の衣類の洗浄を向上させ、その清潔用品は、使用上の便利さを有し、また外出型の清潔用品として携帯上、簡便な設計を有することを特徴とする、携帯ポケット清潔用品構造。
【請求項２】
前記清潔用品を入れる前記袋体は、別の好ましい実施形態として、綿布で作成されることを特徴とする、請求項１に記載の携帯ポケット清潔用品構造。
【請求項３】
不織布または綿布の袋体で包装される前記清潔用品は、別の好ましい実施形態として、顆粒状または粉末状を呈する環境保護性を有する清潔用品であることを特徴とする、請求項１または請求項２に記載の携帯ポケット清潔用品構造。
【請求項４】
環境保護性を有する前記清潔用品は、ムクロジ、天然果物を果実顆粒状または粉末状などに作成して実施されるものであることを特徴とする、請求項３に記載の携帯ポケット清潔用品構造。
【考案の詳細な説明】
【技術分野】
【０００１】
本考案は、携帯ポケット清潔用品構造に係り、いかなる物品（平時の衣類洗濯、または外出時に手部、顔部、身体、頭髪の洗浄、あるいは茶碗、皿や箸などの各種の物品の洗浄を含む）の洗浄としての清潔用品は、使用上の便利さを有し、かつ外出する時に、必要に応じて軽便に携帯する設計を施す。
【背景技術】
【０００２】
現在、業者は、一般人が外出する時に洗浄としての各種の用途の洗滌剤を携帯するために、比較的に小さな瓶に注ぎ込まれる液体の清潔用品、または比較的に小さな塊状の清潔用品が設計製造されることが多く、これらの物品にとっては、使用上、個人の好みによって選択可能であり、単に短時間の外出にレジャー旅行する人にとって、毎回、瓶詰めまたは塊詰めの清潔用品を持ち込み、及び必要な物品を携帯する必要がある。通常、占める体積が多すぎる物品が携帯上の負担となるため、業者は、液体、粉末状や塊状の清潔用品をプラスチック膜と結合する扁薄肉状の紙製包装袋内に包装するように設計することもある。この種の包装形態の清潔用品は、外出する時の携帯上において、確かに簡便に設置することができ、かつ便利に使用することができる。
【考案の概要】
【考案が解決しようとする課題】
【０００３】
本考案者は、現在、既有の扁薄肉状に包装される清潔用品に基づいて、別途に設計した結果、一般人が家で衣類を洗浄する時に、または外出する時に、必要に応じて相当数量の不織布及び綿布で包装される清潔物剤の携帯ポケット清潔用品を携帯し、衣類の洗浄、または外出する時に各種の物品の洗浄にとって、便利に使用でき、かつ簡易に携帯する設計が得られる。
【課題を解決するための手段】
【０００４】
本考案の目的は、家で衣類を洗浄する清潔用品、または外出型の清潔用品とその包装設計としては、必要に応じて不織布及び綿布の袋体を裁断して各種の清潔用品または環境保護性を有する清潔用品（例えばムクロジや天然果物など）をその間に入れてから、熱圧接合により、携帯容易な携帯ポケット清潔用品となり、一般人が家で衣類を洗浄する時に供され、また外出する時に、必要に応じて相当数量の携帯ポケット清潔用品を携帯し、毎回、衣類の洗浄、または外出する時に手部、顔部、身体、頭髪の洗浄、あるいは使用済みの茶碗、皿や箸などの洗浄のいずれも、便利な（環境保護性を有する）清潔用品として使用することで、洗浄を行うことにより、一般の衣類の洗浄を向上させ、その清潔用品は、使用上の便利さを有し、また外出型の清潔用品として携帯上、簡便な設計を有するものを提供することである。
【図面の簡単な説明】
【０００５】
【図１】本考案において、数本の携帯ポケット清潔用品を紙袋で包装することを示す図である。
【図２】本考案の携帯ポケット清潔用品構造の斜視外観図である。
【図３】本考案において、より多い数量の携帯ポケット清潔用品を紙箱で包装することを示す図である。
【考案を実施するための形態】
【０００６】
本考案の携帯ポケット清潔用品構造は、図２のように、主に家での衣類の洗浄、または外出する時に手部、顔部、身体、頭髪の洗浄、あるいは使用済みの茶碗、皿や箸などの洗浄ための清潔用品として使用上の便利さを有し、及び携帯時に、簡便な携帯ポケット設計構成を有する。
【０００７】
なお、家で衣類を洗浄する清潔用品、または外出型の清潔用品とその包装設計としては、必要に応じて不織布（本考案は、綿布で別の好ましい実施形態としてもよい）の袋体１を裁断して各種の清潔用品または環境保護性を有する清潔用品２（例えばムクロジや天然果物などを果実顆粒状または粉末状などに作成するもの）をその間に入れてから、熱圧接合により、携帯容易な携帯ポケット清潔用品３となる。
【０００８】
業者にとって、構成される携帯ポケット清潔用品３の外向け販売に際しての包装を、数枚毎に１つの紙袋４（図１参照）に単位包装に袋詰めしてもよく、また比較的に多い数量の携帯ポケット清潔用品３を、１つの紙箱５（図３参照）にお得パックに包装してもよい。一般人が購入後に複数回に分けて平時の衣類の洗浄として使用してもよく、また外出する時に必要な分だけを取り出して携帯すればよい。
【０００９】
前記携帯ポケット清潔用品３は、一般人が家での衣類の洗浄に供される場合、必要に応じる数量を取り、洗濯機に投入して衣類と共に回転撹拌され、即ち、不織布及び綿布の袋体１を介してその内部の清潔用品２を均一に水と混合して衣類の洗浄を行い、及び衣類の洗浄完了後にその間の不織布及び綿布の袋体１を取り出せばよい。一般人が衣類を洗浄する時に、簡便に清潔物剤を投与する別途の方法を有する。
【００１０】
前記携帯ポケット清潔用品３について、外出する時に携帯する場合、必要に応じて相当数量を取り出して使用し、毎回、手部、顔部、身体、頭髪の洗浄、あるいは使用済みの茶碗、皿や箸などの洗浄は、直接に単一の携帯ポケット清潔用品３（図２参照）を水で湿潤させれば、不織布及び綿布の袋体１を介してその内部に入れる清潔用品、または環境保護性を有する清潔用品２で洗浄を行うことができ、外出型の清潔用品の携帯上と使用上の便利さのための設計を向上させる。
【００１１】
以上のように、不織布及び綿布で包装される携帯ポケット清潔用品は、平時の衣類の洗浄、または外出する時の携帯及び使用に提供する場合、以下の利点がある。
【００１２】
１．環境保護性を有する清潔物剤が入れられている携帯ポケット清潔用品について、外出する時に使用する場合、必要に応じて相当数量の単位包装を携帯すれば、外出する時に手部、顔部、身体、頭髪の洗浄、あるいは使用済みの茶碗、皿や箸などの洗浄を便利に行うことができる。
【００１３】
２．その間に入れられている清潔物剤の携帯ポケット清潔用品は、衣類の洗浄完了後にその不織布及び綿布の袋体を取り出すことだけで、衣類を洗浄する時に、簡便に清潔物剤を投与して使用することができる。
【００１４】
３．内部に環境保護性を有する清潔物剤が入れられている携帯ポケット清潔用品について、携帯上、扁薄肉状に包装される伝統的な清潔用品は、一回では使用しきれないため、液態または粉末状の清潔用品が散らかってしまい、または塊状の清潔用品が湿っぽくなりベタベタになってしまう状況を回避することができる。
【符号の説明】
【００１５】
１：袋体              
２：清潔用品 
３：携帯ポケット清潔用品    
４：紙袋
５：紙箱
【図１】
0003199991.tif 000003
【図２】
0003199991.tif 000004
【図３】
0003199991.tif 000005
【手続補正書】
【提出日】平成27年7月22日(2015.7.22)
【手続補正１】
【補正対象書類名】実用新案登録請求の範囲
【補正対象項目名】全文
【補正方法】変更
【補正の内容】
【実用新案登録請求の範囲】
【請求項１】
洗浄としての用途可能な清潔用品に対して携帯ポケット型に包装される携帯ポケット清潔用品構造であって、
家で衣類を洗浄する清潔用品、または外出型の清潔用品とその包装設計としては、不織布の袋体を裁断して各種の清潔用品をその間に入れてから、熱圧接合により、携帯容易な携帯ポケット清潔用品となり、
一般人が家で衣類を洗浄する時に供され、また外出する時に、相当数量の携帯ポケット清潔用品を携帯し、毎回、衣類の洗浄、または外出する時に手部、顔部、身体、頭髪の洗浄、あるいは使用済みの茶碗、皿や箸などの洗浄のいずれも、便利な清潔用品として使用することで、洗浄を行い、一般の衣類の洗浄を向上させ、その清潔用品は、使用上の便利さを有し、また外出型の清潔用品として携帯上、簡便な設計を有することを特徴とする、携帯ポケット清潔用品構造。
【請求項２】
前記清潔用品を入れる前記袋体は、綿布で作成されることを特徴とする、請求項１に記載の携帯ポケット清潔用品構造。
【請求項３】
不織布または綿布の袋体で包装される前記清潔用品は、顆粒状または粉末状を呈する環境保護性を有する清潔用品であることを特徴とする、請求項１または請求項２に記載の携帯ポケット清潔用品構造。
【請求項４】
環境保護性を有する前記清潔用品は、ムクロジ、天然果物を果実顆粒状または粉末状に作成して実施されるものであることを特徴とする、請求項３に記載の携帯ポケット清潔用品構造。